(57)【要約】【課題】ＭＲ画像の撮影中に，ＭＲ画像を劣化させることなく、電気メス手術できる検査装置を提供する。【解決手段】ＭＲＩ装置の撮影のタイミングと電気メスの高周波電流送信のタイミングを同期制御する手段を備えることにより、電気メスの高周波電流送信を行う時間区間を、ＭＲＩのＲＦパルス照射時並びにＭＲ信号受信時を除いた時間区間に設定する。さらに、対極板の一部にダイオードスイッチを接続し、電気メスの高周波電流送信のタイミングに合わせてダイオードをＯＮ状態にする。【効果】ＭＲ画像の撮影中に，電気メスを使用でき、更にＭＲ画像が劣化しない。【選択図】  図４
2004222752.tif 000002
【特許請求の範囲】
【請求項１】
静磁場の中に置かれた検査対象に，高周波磁場，傾斜磁場を印加して，前記検査対象から発生する核磁気共鳴信号を検出する所定のパルスシーケンスを，繰返し実行する核磁気共鳴装置と，前記検査対象に対して，電気メスの高周波電流の送信を行なう電気メス装置と，前記所定のパルスシーケンスを制御する信号に基づいて，前記電気メスの高周波電流の送信を、前記核磁気共鳴信号を検出するための一連の動作（高周波磁場の印加、傾斜磁場印加、信号の計測）を行う時間区間を含む特定の時間区間において、繰返し行なうように，前記電気メス装置を制御する手段とを有することを特徴とする検査装置。
【請求項２】
請求項１に記載の検査装置に於いて，前記特定の時間区間が，前記所定のパルスシーケンスの中の，（１）前記高周波磁場を印加する時間区間及び前記核磁気共鳴信号を検出する時間区間を除く少なくとも１つの時間区間，（２）前記高周波磁場を印加する時間区間と前記核磁気共鳴信号を検出する時間区間により挟まれる少なくとも１つの時間区間，（３）前記核磁気共鳴信号を検出する時間区間の直前及び／又は直後の少なくとも１つの時間区間，（４）前記核磁気共鳴信号を検出する時間区間の前及び／又は後の時間区間で，且つ，前記高周波磁場を印加する時間区間を除く時間区間，のうちの何れかの時間区間であることを特徴とする検査装置。
【請求項３】
請求項１に記載の検査装置に於いて，前記特定の時間区間が，前記所定のパルスシーケンスの中の，（１）前記高周波磁場を印加する時間区間及び前記核磁気共鳴信号を検出する時間区間を除く少なくとも１つの時間区間，（２）前記高周波磁場を印加する時間区間と前記核磁気共鳴信号を検出する時間区間により挟まれる少なくとも１つの時間区間，（３）前記核磁気共鳴信号を検出する時間区間の直前及び／又は直後の少なくとも１つの時間区間，（４）前記核磁気共鳴信号を検出する時間区間の前及び／又は後の時間区間で，且つ，前記高周波磁場を印加する時間区間を除く時間区間，のうちの何れかの時間区間であることを特徴とする検査装置。
【請求項４】
請求項１に記載の検査装置に於いて，前記電気メス装置を構成する対極板がダイオードスイッチにより分割されていることを特徴とする検査装置。
【発明の詳細な説明】
【０００１】
【発明の属する技術分野】
本発明は，核磁気共鳴を用いた検査装置に係わり，電気メスの使用と，ＭＲＩ（Ｍａｇｎｅｔｉｃ  Ｒｅｓｏｎａｎｃｅ  Ｉｍａｇｉｎｇ）装置の駆動シーケンスとを，並行して実行可能な検査装置に係わる。
【０００２】
【従来の技術】
図１０に斜視図により示すような，広い開口部をもつオープン型ＭＲＩ装置（従来技術１：特開平１０−５７３４４号公報）は，開口部を通して多方向から患者にアクセスでき，かつ，放射線被曝の問題がないことから，イメージングガイド下手術の実現のための最有力機器と目され，インターベンショナルＭＲＩ装置（術中ＭＲＩ装置）の実用化が期待されている。
【０００３】
一方，電気メスは、現在、外科手術において最も広く用いられており，ユーザー（医師）からは電気メス／ＭＲＩ装置の同時使用の要望が高まっている。オープン型ＭＲＩ装置は開放度が高いことから，電気メスなどの手術道具をマグネット内部に持ち込み、手術することが可能である。ただし，マグネット内部に持ち込む手術道具等が磁性体を含む物質から構成される場合，マグネット内部の静磁場の均一性を乱すため，ＭＲＩに於ける画像に著しい影響を与える。マグネット内部に持ち込む電気メスの構成部品としては電極と対極板がある。このため、電極と対極板は非磁性材料で作成する必要がある。
【０００４】
電極と対極板を非磁性材料で作成すれば、静磁場に対する影響はなくなるものの、電気メスとＭＲＩ装置による撮像を同時使用した場合、ＭＲ画像のＳＮ比が劣化する。これは、電気メスの動作周波数が数１００ｋＨｚ〜数ＭＨｚと高周波であるため、その高長波成分がＭＲＩ信号に混入し、ノイズとなるためである。また、また，電気メス使用中にＭＲＩ装置によりＲＦパルスを照射すると電気メスに誤動作が生じるという課題がある。また、対極板は通常１０ｃｍ×２５ｃｍ程度の大きさを有している。このような大きさの導体をマグネット内部に入れ、ＭＲＩの撮影を行うと、ＭＲＩ装置の照射用コイル並びに受信用コイルと、対極板が電磁気的に干渉し、ＭＲ画像の偽像の原因となっている。
【０００５】
【発明が解決しようとする課題】
既に述べたように、電気メス使用と，ＭＲＩ装置の駆動シーケンスとを，並行して同時に実行する場合，即ち，電気メスによる手術及びＭＲＩ装置による撮影とをほぼリアルタイムで行なう場合，電気メスとＭＲＩ装置との電磁気的干渉により，ＭＲＩに於ける画像（ＭＲ画像）が，劣化するという課題がある。また、電気メスとＭＲＩ装置との電磁気的干渉により、電気メスに誤動作が生じるという課題がある
ＭＲＩ装置による撮影と電気メスによる手術をほぼリアルタイムで行なう場合に，電気メスとＭＲＩ装置との電磁気的干渉を防ぐことが大きな課題である。
【０００６】
本発明の目的は，上記の課題を解決し，ＭＲＩ装置による撮影中に，電気メスによる手術を実行可能な検査装置を提供することにある。
【０００７】
【課題を解決するための手段】
ＭＲＩ装置の撮影のタイミングと電気メスの高周波電流送信のタイミングを同期制御する手段を備えることにより、電気メスの高周波電流送信を行う時間区間を、ＭＲＩのＲＦパルス照射時並びにＭＲ信号受信時を除いた時間区間に設定する。さらに、対極板の一部にダイオードスイッチを接続し、電気メスの高周波電流送信のタイミングに合わせてダイオードをＯＮ状態にする。
【０００８】
【発明の実施の形態】
本発明の検査装置は，核磁気共鳴装置と電気メスを具備する。核磁気共鳴装置は，静磁場の中に置かれた検査対象に，高周波磁場，傾斜磁場を印加して，検査対象から発生する核磁気共鳴信号を検出する所定のパルスシーケンスを繰返して実行する制御を行なう第１の制御装置を具備する。
【０００９】
電気メスは，手術対象に対極板を密着させ，高出力発信器を用いて数１００ｋＨｚ〜数ＭＨｚの高周波電流を、電極と対極板の間に流すことにより手術対象の切開等を行うための、高周波電流送信を制御する第２の制御装置を具備する。
【００１０】
第２の制御装置は，制御手段より，第１の制御装置からの制御信号に基づいて，所定のパルスシーケンスの中の特定の時間区間で，高周波電流の送信を繰返し行なうように，制御される。所定のパルスシーケンスの中の特定の時間区間は，前述した時間区画である。
【００１１】
本発明の検査装置は，核磁気共鳴装置と電気メス装置を具備する。核磁気共鳴装置は，静磁場の中に置かれた検査対象に，高周波磁場，スライス傾斜磁場，位相エンコード傾斜磁場，リードアウト傾斜磁場の各傾斜磁場を印加する所定のパルスシーケンスを，繰返して実行する制御を行なうパルスシーケンス制御装置と，リードアウト傾斜磁場が印加された状態で，検査対象から発生する核磁気共鳴信号を検出する信号検出手段とを具備する。
【００１２】
上記で説明した本発明の検査装置は，検出された核磁気共鳴信号を核磁気共鳴画像に変換する手段と，核磁気共鳴画像を表示する第１の表示手段とを具備する。
【００１３】
所定のパルスシーケンスは，第１の時間区間，第２の時間区間，第３の時間区間，及び，第４の時間区間から，構成される，高速撮影シーケンスである。
【００１４】
第１の時間区間では，静磁場の中に置かれた検査対象に，正の極性のスライス傾斜磁場と共に高周波磁場が印加される。
【００１５】
第２の時間区間では，検査対象に，負の極性のスライス傾斜磁場，位相エンコード傾斜磁場，及び，負の極性のリードアウト傾斜磁場の各傾斜磁場が印加される。
【００１６】
第３の時間区間では，正の極性のリードアウト傾斜磁場が印加された状態で，検査対象から発生する核磁気共鳴信号が検出される。
【００１７】
第４の時間区間では，検査対象に，負の極性のスライス傾斜磁場，第２の時間区間で印加した位相エンコード傾斜磁場の極性と反対の極性をもつ位相エンコード傾斜磁場，及び，負の極性のリードアウト傾斜磁場の各傾斜磁場が印加される。
【００１８】
所定のパルスシーケンスは，位相エンコード傾斜磁場の大きさを変化させて複数回繰返して実行される。
【００１９】
電気メスは，手術・検査対象に対して，高出力発信器により，数１００ｋＨｚ〜数ＭＨｚ高周波電流の送信を行なう手段と，高周波電流の送信のタイミングを制御するタイミング制御装置とを具備する。
【００２０】
タイミング制御装置は，制御手段により，パルスシーケンス制御装置からの制御信号に基づいて，第２の時間区間及び／又は第４の時間区間で，電気メスの高周波電流送信を行なうように，制御される。
【００２１】
本発明の検査装置は，核磁気共鳴装置と電気メスを具備する。核磁気共鳴装置は，所定のパルスシーケンスを，複数回繰返して実行する制御を行なうパルスシーケンス制御装置と，核磁気共鳴信号を検出する信号検出手段とを具備する。
【００２２】
所定のパルスシーケンスは，第１の時間区間，第２の時間区間，第３の時間区間，第４の時間区間，第５の時間区間，及び，第６の時間区間，から構成される，撮影シーケンスである。
【００２３】
第１の時間区間では，静磁場の中に置かれた検査対象に，正の極性のスライス傾斜磁場と共に第１の高周波磁場が印加される。
【００２４】
第２の時間区間では，検査対象に，負の極性のスライス傾斜磁場が印加される。
【００２５】
第３の時間区間では，検査対象に，正の極性のスライス傾斜磁場と共に第２の高周波磁場が印加される。
【００２６】
第４の時間区間では，検査対象に，位相エンコード傾斜磁場，及び，負の極性のリードアウト傾斜磁場が印加される。
【００２７】
第５の時間区間では，正の極性のリードアウト傾斜磁場が印加された状態で，検査対象から発生する核磁気共鳴信号が検出される。
【００２８】
第６の時間区間は，核磁化の回復をまつための時間である。所定のパルスシーケンスは，位相エンコード傾斜磁場の大きさを変化させて複数回繰返して実行される。
【００２９】
電気メス装置は，手術・検査対象に対して，高出力発信器により，数１００ｋＨｚ〜数ＭＨｚ高周波電流の送信を行なう手段と，高周波電流の送信のタイミングを制御するタイミング制御装置とを具備する。
【００３０】
タイミング制御装置は，制御手段により，パルスシーケンス制御装置からの制御信号に基づいて，第２の時間区間，第４の時間区間，及び，第６の時間区間の少なくとも１つの時間区間で，高周波電流の送信を行なうように，制御される。
【００３１】
以下の説明で使用する図２，図８に示す検査装置の撮影シーケンスの横軸は時間ｔである。
【００３２】
図１は，本発明の実施例に於ける検査装置の構成例を示す図である。被写体（手術・検査対象）１０３は，静磁場を発生する静磁場発生装置１０１，傾斜磁場コイル１０２の近隣に置かれる。ＭＲＩ制御系（パルルシーケンサ）１０４は，傾斜磁場電源１０５，高周波磁場（ＲＦパルス）発生器１０６に命令を送り，傾斜磁場を傾斜磁場コイル１０２より発生させ，ＲＦパルスを照射用コイル１０７より発生させる制御を行なう。
【００３３】
通常，ＲＦパルスは，ＲＦパルス発生器１０６の出力をＲＦパワーアンプ１１５により増幅し，照射用コイル１０７から検査対象１０３に印加される。検査対象１０３から発生した核磁気共鳴信号は受信用コイル（プローブ）１１６により受波される。受信用コイル１１６は，検査対象１０３の検査対象部位（撮影部位）に近接する空間に配置される。受信用コイル１１６は検査対象１０３の内部に挿入される場合もある。
【００３４】
受信用コイル１１６により受波された信号は，受信器１０８により，Ａ／Ｄ変換（サンプリング），検波が行われる。検波の基準とする中心周波数（磁気共鳴周波数）は，シーケンサ１０４によりセットされる。検波された信号は計算機１０９に送られ，ここでリサンプリング処理された後，画像再構成等の信号処理が行われる。画像再構成等の結果はディスプレイ１１０に表示される。
【００３５】
通常、傾斜磁場コイルと、照射用／受信用コイルの電磁気的干渉を低減するために、空間的な両者の間に、ＲＦシールド１１９が設置される。ＲＦシールド１１９は空中を伝搬する電磁気的ノイズを遮断し、受信用コイルへ伝えない役目も持っている。
【００３６】
必要に応じて，記憶媒体１１１に信号や測定条件を記憶させることもできる。静磁場均一度を調整する必要がある時は，シムコイル１１２を使う。シムコイル１１２は複数のチャネルからなり，シム電源１１３により電流が供給される。静磁場均一度の調整時には，複数のチャネルの各コイルに流れる電流をシーケンサ１０４により制御する。シーケンサ１０４はシム電源１１３に命令を送り，静磁場の不均一を補正する付加的な磁場をシムコイル１１２より発生させる。
【００３７】
なお，ＭＲＩ制御系１０４は，プログラムされた所定のタイミングで，核磁気共鳴装置の，傾斜磁場電源１０５，高周波磁場（ＲＦパルス）発生器１０６，受信器１０８の各部を，所定のパルスシーケンス（撮影シーケンス）でを制御する。ＭＲＩ制御系（シーケンサ）１０４は，静磁場発生装置１０１による静磁場の発生を制御することもできる。
【００３８】
図１に於いて，ＭＲＩ制御系１０４から送られる時間制御用トリガー２０１により，電気メスの駆動の時間が制御されている。電気メス制御系２２６をＭＲＩ制御系１０４に同期制御させることより，電気メスの駆動及びＭＲＩ装置の駆動シーケンスの時間が，共通の時間軸で制御されている。
【００３９】
図１に於いて，電気メス制御系２２６は，高出力発信器２２２に命令を送る。高出力発信器２２２は，ケーブル２３３−１を通じて電極２２３へ高周波電流を出力する。この高周波電流は，電極２２３から，検査対象１０３に送波され、対極板２１０およびケーブル２３３−２を通って、高出力発信器２２２にもどる。
【００４０】
なお，ＭＲＩ制御系１０４が行なう各部の制御を計算機１０９で実行することもでき，電気メス制御系２２６が行なう各部の制御を計算機２０９で実行することもでき。更に，計算機１０９，２０９は，同一の計算機で構成することもできる。
（第１の実施例）
第１の実施例では，ＭＲＩ装置の高速撮影法の１つであるＢＡＳＧシーケンスによるＭＲ撮像と同時に，電気メス撮像をする場合について説明する。
【００４１】
図２は，本発明の第１の実施例の検査装置に於ける撮影シーケンスの例を示す図であり，ＭＲＩ装置による撮影シーケンス（パルスシーケンス）と電気メスの送信のタイミングを説明する図である。
【００４２】
Ｇｓはスライス傾斜磁場であり，Ｇｐはエンコード傾斜磁場であり，Ｇｒはリードアウト傾斜磁場である。以下の説明では，再構成される２次元画像の位相エンコード方向の画素数を１２８とする。従って，ＭＲＩ装置では，時間区間（１）から時間区間（４）からなる図２のパルスシーケンスを，繰返し時間ＴＲで１２８回繰返す。時間区間（１）から時間区間（４）の長さはそれぞれ１ｍｓである。図２のパルスシーケンス繰返し時間ＴＲは４ｍｓである。
【００４３】
時間区間（１）で，静磁場の中に置かれた手術／検査対象に，スライス方向の傾斜磁場（スライス傾斜磁場Ｇｓ）４−１と同時に励起用ＲＦパルス１を照射して，所定の位置で所定の厚さをもつスライス断面の内部に存在する原子核を励起する。
【００４４】
時間区間（２）で，検査対象に，時間区間（１）で印加したスライス傾斜磁場Ｇｓ４−１と逆の極性をもつディフェーズ用傾斜磁場Ｇｓ，エンコード傾斜磁場（Ｇｐ）２−１，負の極性をもつディフェーズ用傾斜磁場（Ｇｒ）３−１を印加する。
【００４５】
時間区間（３）（ＭＲ信号の取得区間７）で，検査対象に，正の極性をもつリードアウト方向の傾斜磁場（リードアウト傾斜磁場Ｇｒ）３−２を印加して，検査対象から発生するＭＲ信号６を，受信用コイル１１６を用いて計測する。
【００４６】
時間区間（４）で，検査対象に，負の極性をもつディフェーズ用傾斜磁場Ｇｓ，時間区間（２）で印加したエンコード傾斜磁場（Ｇｐ）２−１と逆の極性をもつディフェーズ用傾斜磁場Ｇｐ，負の極性をもつディフェーズ用傾斜磁場（Ｇｒ）３−３を印加する。
【００４７】
以下，エンコード傾斜磁場（Ｇｐ）２−１の印加量を変化させ，図２のパルスシーケンスを，繰返し時間ＴＲで１２８回繰返し，繰返し時間ＴＲ毎にＭＲ信号６の受信（計測）を行なう。計測された１２８個の信号を２次元フーリエ変換することにより，２次元画像を得る。
【００４８】
図２に示すように，繰返し時間ＴＲを４ｍｓにすると，４ｍｓ×１２８＝５１２ｍｓで２次元画像を再構成するためのＭＲ信号６が得られる。あるＧｐ印加量について新たに計測したテ゛ータを，同じＧｐ印加量で１巡前に計測されたテ゛ータと入れ替えながら撮影すれば，準リアルタイムに動画を表示することもできる。
【００４９】
電気メスの高周波電流送信（Ｔ）は，励起用ＲＦパルス１を照射する時間区間（１）及びＭＲ信号を受信する時間区間（３）を除いた，時間区間（２）９−１及び時間区間（４）９−２で行なう。すなわち、１ｍｓ毎に高周波電流のＯＮ−ＯＦＦを繰り返す。このため，ＭＲ信号を取得するパルスシーケンスを実行しながら，リアルタイム性を損なうことなく，電気メスによる手術を並行して同時に実行できる。
【００５０】
図７は，本発明の第１の実施例の検査装置を用いる電気メス手術に於いて撮影されるＭＲ画像を模式的に示す図である。時間１でＭＲ画像はある臓器の治療前の画像である。手術を行ないながら，時間ｋ（ｋ＝２，３，４，…）で，連続してＭＲ画像の撮影を行なっていく。ＭＲ画像は５１２ｍｓＲ毎に更新されていく。時間ｋ（ｋ＝２，３，４，…）でのＭＲ画像はそれぞれ，ｋ×５１２ｍｓ後に，画像形成が完了し表示装置に表示されていく。
【００５１】
電気メスによる手術を行なうと，切開した部分１０−２の組織コントラストが変化していくので，手術部位を確認できる。時間３，時間４でのＭＲ画像では，切開の済んだ部分（切開した部分１０−２）が広がっていくことを示している。医師は，術部の状態の変化を，約０．５ｓ毎のＭＲ画像の観察により効率よく把握でき，術部の状態の変化に応じた適切な処置を行なうことができる。
【００５２】
電気メスの送信を行なう時間区間を，ＭＲＩ装置で，励起用ＲＦパルスを照射する時間区間（１）及びＭＲ信号を受信する時間区間（３）を除いた，時間区間（２）及び時間区間（４）に設定するためには，電気メス制御系２２６とＭＲＩ制御系１０４を同期制御する必要がある。これら２つの制御系を同期させる構成として，以下の３種類がある。
Ａの構成：ＭＲＩ装置から電気メスへ時間制御用トリガーを送る構成とする。
Ｂの構成：電気メスからＭＲＩ装置へ時間制御用トリガーを送る構成とする。
Ｃの構成：ＭＲＩ装置と電気メスの双方の装置と独立した時間制御用系を設け，双方の装置へ時間制御用トリガーを送る構成とする。
【００５３】
Ａの構成では，ＭＲＩ装置制御系１０４は，高周波磁場（ＲＦパルス）発生器１０６にＲＦパルスの照射命令を送ると同時に，電気メス制御系２２６に，ＭＲＩ装置のパルスシーケンスの時間区間（２）内で，高周波電流の送信を行なう命令を送る。また，ＭＲＩ装置制御系１０４は，受信器１０８にＭＲ信号を計測する命令を送ると同時に，電気メス制御系２２６に，ＭＲＩ装置のパルスシーケンスの時間区間（４）内で，高周波電流の送信を行なう命令を送る。
【００５４】
図１に示す構成では，Ａの構成により，ＭＲＩ制御系１０４から送られる時間制御用トリガー２０１により，電気メス装置の駆動シーケンスの時間が制御されている。電気メス制御系２２６をＭＲＩ制御系１０４に同期制御させることより，電気メスの駆動及びＭＲＩ装置の駆動シーケンスの時間が，共通の時間軸で制御されている。
【００５５】
Ｂの構成では，電気メス制御系２２６からＭＲＩ装置制御系１０４に，ＭＲＩ装置のパルスシーケンスの繰返し時間ＴＲ毎に，ＭＲＩ装置のパルスシーケンスの開始を行なう命令を送る。
【００５６】
Ｃの構成では，電気メス制御系２２６とＭＲＩ装置制御系１０４の双方と独立した，時間制御用トリガーを発生する時間制御用系から，ＭＲＩ装置制御系１０４に，ＭＲＩ装置のパルスシーケンスの繰返し時間ＴＲ毎に，ＭＲＩ装置のパルスシーケンスの開始を行なう命令を送り，さらに，時間制御用系から電気メス制御系２２６に，ＭＲＩ装置のパルスシーケンスの時間区間（２）内及び時間区間（４）内で，高周波電流の送信を行なう命令を送る。
【００５７】
以上説明した構成により，電気メス使用中に，ＭＲＩ装置は励起用ＲＦパルスを照射しない構成とするので，ＭＲＩ装置の励起用ＲＦパルスに起因する電気メスの誤動作がないという効果がある。また、ＭＲ信号６の受信中に電気メスの高周波電流を送信しない構成とするので，ＭＲ画像に，電気メスの高周波電流送信に起因するノイズ信号は混入しないという効果がある。
【００５８】
なお、対極板は、図３に示すように、通常１０ｃｍ×２５ｃｍ程度の大きさを有している。このような大きさの導体をマグネット内部に入れると、導体がアンテナとして動作する。すなわち、ＭＲＩ装置の照射用コイル並びに受信用コイルと、対極板が電磁気的に干渉し、ＭＲ画像の偽像の原因となる。対極板のアンテナとして動作しないようにするため、図４に示すように、ダイオードスイッチ回路５１を用いて、対極板を分割する。図４において、スイッチング直流電流５３を流すと、ダイオードがＯＮ状態となり、図５に示した構成の対極板と等価となる。キャパシタの容量が十分大きければ、図５に示した構成の対極板と、図３に示した対極板は、電気メスの動作周波数において、電気的にほぼ等価な働きをする。図４において、スイッチング直流電流５３を流さないと、ダイオードがＯＦＦ状態となり、電気メスの動作周波数において、図６に示した構成の対極板と等価となる。図６に示した対極板のように、電気的に分離された複数個の導体のアンテナとしての動作は、実用上ほぼ無視できるほど小さくなる。このため、ＭＲＩ装置の照射用コイル並びに受信用コイルと、対極板との電磁気的干渉はほぼ無視できるほど小さくなる。スイッチング直流電流を流すタイミングは、図２において、電気メスの高周波電流送信（Ｔ）と同じタイミングである。
【００５９】
以上説明した構成により，ＭＲ信号６の受信中、あるいは、励起用ＲＦパルス照射時に、対極板がアンテナとして動作せず、ＭＲＩ装置の照射用コイル並びに受信用コイルと、対極板が電磁気的に干渉することがないため、ＭＲ画像の偽像が低減できるという効果がある。
（第２の実施例）
第２の実施例では，ＭＲＩ装置の最も基本的な撮影法の１つであるスピンエコーシーケンスによるＭＲ撮像と並行して同時に，電気メスを使用する場合について説明する。
【００６０】
図８は，本発明の第２の実施例の検査装置に於ける撮影シーケンスの例を示す図であり，ＭＲＩ装置によるスピンエコーシーケンスと電気メスの送受信のタイミングを説明する図である。
【００６１】
Ｇｓはスライス傾斜磁場であり，Ｇｐはエンコード傾斜磁場であり，Ｇｒはリードアウト傾斜磁場である。以下の説明では，再構成される２次元画像の位相エンコード方向の画素数を１２８とする。従って，ＭＲＩ装置では，時間区間（１）から時間区間（６）からなる図８のパルスシーケンスを，繰返し時間ＴＲで１２８回繰返す。時間区間（１），時間区間（３）の長さはそれぞれ４ｍｓであり，時間区間（２）１９−２，時間区間（５）の長さはそれぞれ１２ｍｓであり，時間区間（４）１９−２の長さは８ｍｓであり，核磁化の回復の待ち時間である時間区間（６）１９−３の長さは２０ｍｓである。図８のパルスシーケンス繰返し時間ＴＲは６０ｍｓである。
【００６２】
時間区間（１）で，静磁場の中に置かれた検査対象に，スライス傾斜磁場（Ｇｓ）４−１と同時に励起用ＲＦパルス１を照射して，所定の位置で所定の厚さをもつスライス断面の内部に存在する原子核を励起する。
【００６３】
時間区間（２）１９−１で，検査対象に，時間区間（１）で印加したスライス傾斜磁場（Ｇｓ）４−１と逆の極性をもつディフェーズ用傾斜磁場Ｇｓを印加する。
【００６４】
時間区間（３）で，検査対象に，１８０度ＲＦパルス７１を照射し，スライス断面内部に存在する磁化を反転させる。
【００６５】
時間区間（４）１９−２で，検査対象に，エンコード傾斜磁場（Ｇｐ）２−１，負の極性をもつディフェーズ用傾斜磁場（Ｇｒ）３−１を印加する。
【００６６】
時間区間（５）（ＭＲ信号の取得区間７）で，検査対象に，正の極性をもつリードアウト傾斜磁場（Ｇｒ）３−２を印加して，検査対象から発生するＭＲ信号６を，受信用コイル１１６を用いて計測する。
【００６７】
以下，エンコード傾斜磁場（Ｇｐ）２−１の印加量を変化させ，図８のパルスシーケンスを，繰返し時間ＴＲで１２８回繰返し，繰返し時間ＴＲ毎にＭＲ信号６の受信（計測）を行なう。計測された１２８個の信号を２次元フーリエ変換することにより，２次元画像を得る。
【００６８】
図８に示すように，繰返し時間ＴＲを６０ｍｓにすると，６０ｍｓ×１２８＝７６８０ｍｓで２次元画像を再構成するためのＭＲ信号６が得られる。
【００６９】
電気メスの高周波電流の送信（Ｔ）は，励起用ＲＦパルス１を照射する時間区間（１），１８０度ＲＦパルスを照射する時間区間（３），及び，ＭＲ信号を受信する時間区間（５）を除いた，時間区間（２）１９−１，時間区間（４）１９−２，及び，時間区間（６）１９−３で行なう。
【００７０】
電気メスの高周波電流の送信を行なう時間区間を，ＭＲＩ装置で，励起用ＲＦパルスを照射する時間区間（１），１８０度ＲＦパルス７１を照射する時間区間（３），及び，ＭＲ信号を受信する時間区間（５）を除いた，時間区間（２），時間区間（４），及び，時間区間（６）に設定するためには，電気メス制御系２２６とＭＲＩ制御系１０４を同期制御する必要がある。これら２つの制御系を同期させる構成として，前述のＡの構成を用いる。
【００７１】
６０ｍｓのＴＲの時間の中で高周波電流が流れる時間が４０ｍｓあるため，ＭＲ信号を取得するパルスシーケンスを実行しながら，リアルタイム性を損なうことなく，電気メスによる手術を並行して同時に実行できる。
【００７２】
電気メス信号の使用中に，ＭＲＩ装置は，励起用ＲＦパルス，１８０度ＲＦパルスを照射しない構成とするので，ＭＲＩ装置のＲＦパルスに起因する電気メス誤動作がないという効果がある。また，ＭＲ信号６の受信中に電気メスの高周波電流を送信しない構成とするので，ＭＲ画像に，電気メスの高周波電流送信に起因するノイズ信号は混入しないという効果がある。
（第３の実施例）
第３の実施例では，本発明の検査装置に使用可能なＭＲＩ装置の例について説明する。ＭＲＩ装置として，円筒状の空間に静磁場が発生されるトンネル型ＭＲＩ装置，図１０に斜視図により示すオープン型ＭＲＩ装置が周知である。図１０に示すオープン型ＭＲＩ装置は，本発明の検査装置に好適に適用可能である。
【００７３】
図９は，本発明の第３の実施例であり，本発明の検査装置により好適に使用可能なフラット型ＭＲＩ装置の例を示す斜視図である。フラット型ＭＲＩ装置では，ベットの上に搭載される患者の上部の空間に静磁場が形成さる。フラット型ＭＲＩ装置を術中ＭＲＩ装置として使用する場合，患者の上部の空間には何も存在しないので，医師は，オープン型ＭＲＩ装置よりも，より広い領域，より多方向から患者にアクセスできる。
【００７４】
また，医師は，患者の上部の空間の任意の方向から患者にアクセスして，患部の状態の変化に応じた適切な処置を行なうことができる。
【００７５】
以上，本発明の実施例を特定の形態について説明したが，第１の実施例及び第２の実施例以外の実施の形態についても同様に，本発明の検査装置は適用可能であることは言うまでもない。また，本発明の検査装置に使用するＭＲＩ装置のパルスシーケンスとして，ＢＡＳＧシーケンス，ＳＥシーケンス以外に，周知のＧＲＥシーケンス，ＧＲＡＳＥシーケンス等も利用可能であることは言うまでもない。
【００７６】
また，図２，図８に示した撮影シーケンスでは，２次元画像撮影について説明したが，ＭＲＩ装置の分野で公知技術により，容易に３次元画像撮影に拡張できることは言うまでもない。
【００７７】
【発明の効果】
本発明の検査装置によれば，ＭＲＩ装置によりＭＲ画像を得るためのＭＲ信号を計測するパルスシーケンスの実行中に，電気メスを用いた手術ができる検査装置を提供できる。換言すると，ＭＲ画像の撮像を行ないながら，リアルタイム性を損なうことなく，電気メス手術を並行して同時に実行できる。更に，ＭＲ画像が劣化しない撮像を実行できる。
【図面の簡単な説明】
【図１】本発明の実施例に於ける検査装置の構成例を示す図。
【図２】本発明の第１の実施例の検査装置に於ける撮影シーケンスの例を示す図。
【図３】電気メスの対極板を示す図。
【図４】ダイオードスイッチを接続した，電気メスの対極板を示す図。
【図５】ダイオードスイッチＯＮ時の、電気メスの対極板を示す図。
【図６】ダイオードスイッチＯＦＦ時の、電気メスの対極板を示す図。
【図７】本発明の第１の実施例の検査装置を用いる電気メス手術において，撮影されるＭＲ画像を模式的に示す図。
【図８】本発明の第２の実施例の検査装置に於ける撮影シーケンスの例を示す図。
【図９】本発明の第３の実施例であり，本発明の検査装置により好適に使用可能なフラット型ＭＲＩ装置の例を示す斜視図。
【図１０】広い開口部をもつ従来技術に於けるＭＲＩ装置の例を示す斜視図。
【符号の説明】
１…励起用ＲＦパルス，２−１…位相エンコード方向の傾斜磁場，３−１，３−３…ディフェーズ用傾斜磁場，３−２…リードアウト方向の傾斜磁場，４−１…スライス方向の傾斜磁場，６，６−１…ＭＲ信号，７…ＭＲ信号の取得区間，９−１…時間区間（２），９−２…時間区間（４），１９−１…時間区間（２），１９−２…時間区間（４），１９−３…時間区間（６），７１…１８０度ＲＦパルス，１０１…静磁場発生装置，１０２…傾斜磁場コイル，１０３…被写体，１０４…ＭＲＩ制御系，１０５…傾斜磁場電源，１０６…高周波パルス発生器，１０７…照射用コイル，１０８…受信器，１０９…計算機，１１０…ディスプレイ，１１１…記憶媒体，１１２…シムコイル，１１３…シム電源，１１５…ＲＦパワーアンプ，１１６…受信用コイル，２０１…時間制御用トリガー，２０９…計算機，２２３…電気メス電極，２２２…高出力発信器，２２６…電気メス制御系，２１０…対極板，５１…ダイオードＳＷ，２３３…電気メスのケーブル。
【図１】
2004222752.tif 000003
【図２】
2004222752.tif 000004
【図３】
2004222752.tif 000005
【図４】
2004222752.tif 000006
【図５】
2004222752.tif 000007
【図６】
2004222752.tif 000008
【図７】
2004222752.tif 000009
【図８】
2004222752.tif 000010
【図９】
2004222752.tif 000011
【図１０】
2004222752.tif 000012